(57)【要約】【課題】硬貨処理の全ての動作において利用される共通搬送部での硬貨ブリッジの発生を防止する硬貨処理装置を簡素な構造で実現する。【解決手段】共通搬送部１は、搬送ベルト１０１、カバー部１０２を備える。カバー部１０２は搬送ベルト１０１の両側端に配置された側壁１２１Ａ，１２１Ｂと、搬送ベルト１０１の搬送方向の始端側に配置された始端壁１２２とを備える。側壁１２１Ａ，１２１Ｂにはベルト押さえ部１２３Ａ，１２３Ｂをそれぞれ形成し、ベルト押さえ部１２３Ａは搬送ベルト１０１に沿って略全長に亘り形成し、ベルト押さえ部１２３Ｂは始端壁１２２側の所定長さＬｃｕｔに亘り切り欠き部を備えた形状で形成する。また、始端壁１２２には、右側壁１２１Ａとの接合部にベルト押さえ部１２４を形成するのみで、搬送ベルト１０１の幅方向にはベルト押さえ部を形成していない。【選択図】  図１
2006338104.tif 000002
【特許請求の範囲】
【請求項１】
各部から投入される硬貨を所定方向に搬送する硬貨搬送手段を備えた硬貨処理装置において、
前記硬貨搬送手段は、硬貨を所定方向に搬送する搬送ベルトと、
搬送ベルトの両側部に沿って形成された側壁および搬送方向の始端側に前記搬送方向に垂直な壁面を有する始端壁を有するカバー部材と、を備え、
前記始端壁および前記側壁は、前記投入される複数の硬貨によりブリッジが形成されても、該ブリッジを形成する複数の硬貨の１点が前記搬送ベルトに接する形状で形成されている硬貨処理装置。
【請求項２】
前記カバー部材の始端壁および側壁は、前記ブリッジを形成する複数の硬貨の１点が前記搬送ベルトに接する形状の切り欠き部を備えたベルト押さえ部を有する請求項１に記載の硬貨処理装置。
【請求項３】
前記切り欠き部は前記始端壁から両側壁に亘る形状で形成されている請求項２に記載の硬貨処理装置。
【発明の詳細な説明】
【技術分野】
【０００１】
この発明は、入金、出金、補充、精査等の硬貨処理を行う硬貨処理装置、特に、各動作時に必ず硬貨が通過する搬送経路での硬貨ブリッジによる搬送ミスを防止する硬貨処理装置に関するものである。
【背景技術】
【０００２】
従来、ＡＴＭ（自動預け払い機）等の自動で貨幣を処理する装置には、硬貨の入金、出金処理さらには補充、精査処理を行う硬貨処理装置が備えられている。硬貨処理装置は、顧客等外部からの硬貨の挿入や、外部への硬貨の繰り出し口となる入出金部と、硬貨の種類毎に所定枚数をストックしておく金種別スタッカと、補充時に硬貨を挿入し、精査時に硬貨を排出するカートリッジと、を備える。そして、硬貨処理装置はこれらの各部間で硬貨を搬送することにより各種の処理を行う。
【０００３】
このような硬貨処理装置では、搬送経路の特定位置で複数の硬貨によるブリッジが発生するという問題がある。この問題を解決する方法として、特許文献１では、多数の硬貨が挿入されるタンクの側壁の少なくとも１つを垂直に形成することで、タンク内での硬貨によるブリッジの発生を解消している。また、特許文献２では、多数の硬貨が挿入されるタンクに硬貨撹拌手段を備えることで、タンク内での硬貨によるブリッジの発生を解消している。
【特許文献１】特開２００１−３５３２６１公報
【特許文献２】特開平１１−３２８４６７号公報
【発明の開示】
【発明が解決しようとする課題】
【０００４】
ところが、前述の各従来技術は、タンクから硬貨を排出する際に発生するブリッジを防止することができるが、次に示すように、入金、出金、補充、精査の各動作に硬貨が搬送される共通搬送部でのブリッジを防止することはできない。
【０００５】
図５は硬貨処理装置の概略構成を示す構成図である。なお、硬貨処理装置全体の構成および動作は実施形態に記載するので、ここでは省略する。
【０００６】
このような構造の硬貨処理装置では、各硬貨処理の全てにおいて共通搬送部１に硬貨が持ち込まれる。具体的に、共通搬送部１には、入金処理時は一括一時保留部１０から硬貨が投下され、出金処理、精査処理時は金種別スタッカ６から横搬送ベルト７を介して硬貨が搬入され、補充処理時は運用カートリッジ１１から縦搬送部１３を介して硬貨が挿入される。そして、これらの場合、通常は多数の硬貨が同時に搬入される。
【０００７】
図６は従来の共通搬送部の構成を示す構成図である。
【０００８】
共通搬送部１は、搬送ベルト１０１と、カバー部１０２と、搬送ローラ１０３と、を備える。カバー部１０２は搬送ベルト１０１を略覆う形状で形成されており、搬送ベルト１０１の搬送方向の両側部に形成された側壁１２１と、搬送ベルト１０１の搬送方向の始点端側に形成された始点壁１２２とを備える。側壁１２１は、搬送ベルト１０１の搬送面に垂直な方向の一部が搬送ベルト１０１側に突出して搬送ベルト１０１の上面に接触するベルト押さえ部１２３を、搬送ベルト１０１の略全長に亘り備えている。始点壁１２２も、搬送ベルト１０１の搬送面に垂直な方向の一部が搬送ベルト１０１側に突出して搬送ベルト１０１の上面に接触するベルト押さえ部１２４を、搬送ベルト１０１の全幅に亘り備えている。
【０００９】
ところが、このような共通搬送部１を備える構造では、搬送ベルト１０１の上方から複数の硬貨が挿入された場合に、図７に示すような硬貨のブリッジが発生する。
図７は硬貨ブリッジの状態を示す概念図であり、（Ａ）は２点支持ブリッジを示し、（Ｂ）は３点支持ブリッジを示す。
搬送ベルト１０１の幅の半分よりも径の大きい硬貨が投入された場合、図７（Ａ）に示すように、対向する側壁１２１のベルト押さえ部１２３にそれぞれの硬貨５００の一端が接し、これに対向する端部同士が接触して、２枚の硬貨５００によるブリッジが形成される。このブリッジは２枚の硬貨５００で側壁１２１のベルト押さえ部１２３に接した状態（２点支持状態）で安定であるため、搬送ベルト１０１が駆動してもこのままの状態を維持してしまう。
【００１０】
また、同様の形状の硬貨５００が投入された場合、図７（Ｂ）に示すように、対向する側壁１２１のベルト押さえ部１２３と、これら側壁１２１に垂直な始端壁１２２のベルト押さえ部１２４にそれぞれの硬貨５００の１端と２端とが接し、各硬貨５００の所定位置同士が接触することで、２枚の硬貨５００によるブリッジが形成される。このブリッジは２枚の硬貨５００で側壁１２１のベルト押さえ部１２３および始端壁１２２のベルト押さえ部１２４に接した状態（３点支持状態）で安定であるため、搬送ベルト１０１がくどうしてもこのままの状態を維持してしまう。特に、３点支持の場合、２点支持よりもブリッジの安定度が高くなり、簡単にはブリッジが崩れることはない。
【００１１】
このようなブリッジが発生することで、入金、出金、精査時に入出金する金額に間違いが発生して、装置の信頼性を低下させてしまう。
【００１２】
したがって、この発明の目的は、硬貨処理の全ての動作において利用される共通搬送部での硬貨ブリッジの発生を防止する硬貨処理装置を簡素な構造で実現することにある。
【課題を解決するための手段】
【００１３】
この発明は、各部から投入される硬貨を所定方向に搬送する硬貨搬送手段を備えた硬貨処理装置において、硬貨搬送手段は、硬貨を所定方向に搬送する搬送ベルトと、搬送ベルトの両側部に沿って形成された側壁および搬送方向の始端側に搬送方向に垂直な壁面を有する始端壁を有するカバー部材と、を備える。そして、始端壁および側壁は、投入される複数の硬貨によりブリッジが形成されても、該ブリッジを形成する複数の硬貨の１点が搬送ベルトに接する形状で形成されることを特徴としている。
【００１４】
この構成では、硬貨搬送手段に硬貨が挿入されて、複数の硬貨によるブリッジが形成されようとしても、そのブリッジを構成する硬貨が硬貨搬送手段に接する点のうちの少なくとも１点が、駆動される搬送ベルト上に存在する。このため、搬送ベルトの動きに応じてブリッジの支持点の１点が移動して、安定したブリッジにはならない。
【００１５】
また、この発明の硬貨処理装置は、カバー部材の始端壁および側壁に、ブリッジを形成する複数の硬貨の１点が搬送ベルトに接する形状の切り欠き部を備えたベルト押さえ部を有することを特徴としている。
【００１６】
この構成では、搬送ベルトに対してベルト押さえ部が設置されることで硬貨が搬送ベルトから落下することが抑制されるが、ベルト押さえ部に前記切り欠き部を備えることで、さらに、硬貨によるブリッジの少なくとも１つの支持点が搬送ベルト上に存在させられる。このため、搬送ベルトの動きに応じてブリッジの支持点の１点が移動して、安定したブリッジにはならない。
【００１７】
また、この発明の硬貨処理装置は、切り欠き部を始端壁から両側壁に亘る形状で形成することを特徴としている。
【００１８】
この構成では、互いに平行な両側壁の少なくとも一方の側壁のベルト押さえ部と、該両側壁に垂直な始端壁のベルト押さえ部との両方に切り欠き部を形成することで、支持点により三角形が形成される３点支持等における支持点の少なくとも１点を搬送ベルト上にすることができる。このため、搬送ベルトの動きに応じてブリッジの支持点の１点が移動して、安定したブリッジにはならない。
【発明の効果】
【００１９】
この発明によれば、硬貨搬送手段に複数の硬貨が搬入されてブリッジが形成されそうになっても、ブリッジを支持する少なくとも１点が搬送ベルト上に有ることで、支持点が移動し、ブリッジが不安定になり崩れる。これにより、複数の硬貨によるブリッジの形成を防止することができる。
【発明を実施するための最良の形態】
【００２０】
本発明の実施形態に係る硬貨処理装置について図を参照して説明する。
図１は本実施形態の硬貨処理装置の共通搬送部１の構造を示す図であり、（Ａ）は側面から見た構成図であり、（Ｂ）は（Ａ）におけるＡ−Ａ断面図であり、（Ｃ）は（Ａ）におけるＢ−Ｂ断面図であり、（Ｄ）は搬送ベルトの搬送面側から見た断面図である。なお、図１に示す共通搬送部１を備える硬貨処理装置は、図５に示す硬貨処理装置と共通搬送部を除き同じ構成であるので、図５に基づいて説明する。
【００２１】
硬貨処理装置の共通搬送部１は、搬送ベルト１０１と、カバー部１０２と、排出ローラ１０３とを備える。搬送ベルト１０１は、図示しないモータ等の駆動源から駆動力を与えられ、所定方向に駆動される（図１の矢印方向）。カバー部１０２は、搬送ベルト１０１の両側部に、搬送方向の略全長に亘って形成される側壁１２１Ａ，１２１Ｂと、搬送方向の始点側の所定位置に形成される始端壁１２２とを備える。
【００２２】
各側壁１２１Ａ，１２１Ｂは、搬送ベルト１０１付近で搬送面に略垂直な壁面を有する形状で形成されており、搬送ベルト１０１の搬送面（上面）側に、壁面から突出する形状のベルト押さえ部１２３Ａ，１２３Ｂがそれぞれ形成されている。ベルト押さえ部１２３Ａ，１２３Ｂは、底面が搬送ベルト１０１の側端部に所定幅で当接し、突出する壁面から徐々に厚み（高さ）が低くなる形状、すなわち、上面の断面が円弧状に形成されている。また、搬送ベルト１０１の搬送方向右手側の側壁１２１Ａのベルト押さえ部１２３Ａは、搬送方向の略全長に亘って形成されているが、搬送方向左手側の側壁１２１Ｂのベルト押さえ部１２３Ｂは、始端壁１２２から所定長さＬｃｕｔに亘り切り欠き部を有し、その他の部分では搬送方向の略全長に亘って形成されている。このため、図１の（Ｂ）、（Ｃ）に示すように、始端壁１２２から所定距離Ｌｃｕｔ以上離れた位置（断面Ａ−Ａ）では、搬送ベルト１０１の両側端にベルト押さえ部１２３Ａ，１２３Ｂが存在し、始端壁１２２から所定距離Ｌｃｕｔ以下の位置（断面Ｂ−Ｂ）では、搬送ベルト１０１の一方の側端（右側端）にのみベルト押さえ部１２３Ａが存在する形状となる。
【００２３】
始端壁１２２は、搬送ベルト１０１付近で搬送面に略垂直な壁面を有する形状で形成されており、右側壁１２１Ａのベルト押さえ部１２３Ａに連続するコーナ部に、上面から見てＲ面状のベルト押さえ部１２４が形成されているが、他の部分、すなわち、始端壁１２２における搬送ベルト１０１の幅方向に平行な面から左側壁１２１Ｂとのコーナにかけてはベルト押さえ部が形成されていない。言い換えれば、始端壁１２２における右側壁１２１Ａとのコーナを除く略全面に切り欠き部が形成されている。
【００２４】
ここで、左側壁１２１Ｂのベルト押さえ部１２３Ｂに形成される切り欠き部の搬送方向の長さ（以下、単に「切り欠き部の長さ」と称す）は、搬送する各種の硬貨の径により設計される。
例えば、搬送する硬貨のうちで最も径の大きい硬貨（日本円では５００円硬貨）５００Ａ，Ｂを用いて図２（Ａ）に示す設計を行う。この場合、硬貨５００Ａ，５００Ｂの２枚を用い、一方の硬貨５００Ａを、搬送ベルト１０１上に載置させた状態で右側壁１２１Ａのベルト押さえ部１２３Ａと始端壁１２２とに接触させる。次に、他方の硬貨５００Ｂを、同じく搬送ベルト１０１上に載置させた状態で、先に載置した硬貨５００Ａと左側壁１２１Ｂとに接触させる。この状態で、始端壁１２２の壁面から硬貨５００Ｂと左側壁１２１Ｂとの接点までの距離Ｌｃｏｉｎと比較して、前記切り欠き部の長さＬｃｕｔが長くなるように、該切り欠き部の長さＬｃｕｔを設定する。また、この際、ベルト押さえ部１２３Ｂの始端壁１２２側の末端は、搬送方向逆方向に沿って先細り形状に形成されており、この先細り部が、前述の互いに接触させて載置させた２枚の硬貨５００Ａ，５００Ｂに接触しない形状で形成されている。このような構造とすることで、後述する２枚の硬貨による安定した３点支持ブリッジを搬送ベルト１０１の駆動により防ぐことができる。
【００２５】
また、搬送する硬貨のうちで所定の硬貨、例えば、最も径の小さい硬貨（日本円では１円硬貨）５００Ｃ〜５００Ｅを用いて図２（Ｂ）に示す設計を行う。この場合、硬貨５００Ｃ〜５００Ｅの３枚を用い、１枚の硬貨５００Ｃを搬送ベルト１０１上に載置させた状態で、切り欠き部を有する左側壁１２１Ｂと始端壁１２２とに接触させる。次に、硬貨５００Ｄを、同じく搬送ベルト１０１上に載置させた状態で、先に載置した硬貨５００Ｃと右側壁１２１Ａのベルト押さえ部１２３Ａとに接触させる。さらに、硬貨５００Ｅを、同じく搬送ベルト１０１上に載置させた状態で、先に載置した硬貨５００Ｄと左側壁１２１Ｂとに接触させる。この状態で、硬貨５００Ｄ，５００Ｅの中心を結ぶ直線と左側壁１２１Ｂの壁面との交点に対して、この交点からベルト押さえ部１２３Ｂの先細り部への接線方向の成す角が９０°よりも大きくなるように、切り欠き部およびベルト押さえ部１２３Ｂを形成する。このような構造とすることで、平面状のブリッジが形成されても、搬送ベルト１０１の駆動によって崩すことができる。具体的に説明すると、例えば、搬入された硬貨から硬貨５００Ｃ〜５００Ｅの３枚が、切り欠き部が形成された領域で平面ブリッジを形成する。このままでは安定ではないが、駆動されて搬送ベルト１０１が動くと硬貨５００Ｅが左側壁１２１Ｂとともにベルト押さえ部１２３Ｂに接触する。この際、硬貨５００Ｄと硬貨５００Ｅとの中心を結ぶ中心線と、交点からベルト押さえ部１２３Ｂに向かう接線との成す角が９０°以下であると、さらにベルト押さえ部１２３Ｂで平面ブリッジが支持されてしまい、安定化してしまう可能性がある。一方、本実施形態のように、前記中心線と接線との成す角が９０°よりも大きければ、搬送ベルト１０１の移動に沿って硬貨５００Ｅとベルト押さえ部１２３Ｂとの接点が移動し、平面ブリッジが不安定になって崩れる。
【００２６】
以上のように、本実施形態の構成を用いることで、硬貨のブリッジを防止する共通搬送部を構成することができる。
【００２７】
このような共通搬送部１を備える硬貨処理装置は次に示すような動作処理を行う。
（１）入金処理
利用者が入金操作を行ってシャッター１４が開き、入出金部２に硬貨が投入される。シャッター１４が閉まると、投入された硬貨は、入出金部２から繰り出し部３に送られ、繰り出し部３から１枚ずつ硬貨識別部４に搬送される。硬貨識別部４は搬入された硬貨を順に識別して送り出す。この際、硬貨識別部４は識別結果から投入金額を検出する。送り出された硬貨は一括一時保留部１０に一時的にストックされる。この時点で、図示しない表示器上に投入硬貨額が表示され、利用者により確認されると、一括一時保留部１０にストックされた硬貨が共通搬送部１に投下される。共通搬送部１は、同時に投下された複数の硬貨を出金搬送部８に送り出す。
【００２８】
この際、共通搬送部１では、図３に示すような２点支持ブリッジや図４に示すような３点支持ブリッジが一時的に発生する。
図３は共通搬送部１における２点支持ブリッジの構成を示す図であり、（Ａ）が搬送方向の始端側から見た断面図（図１（Ｄ）に相当する位置）であり、（Ｂ）搬送面に対して垂直上方向から見た平面断面図である。
このように２枚の硬貨５００により搬送ベルト１０１の幅方向に平行に開く形状のブリッジが形成される場合、このブリッジを構成する硬貨５００はそれぞれベルト押さえ部１２３Ａ上（図中の点５０１）と、左側壁１２１Ｂの壁面および搬送ベルト１０１（図中の点５０２）とで支持される。ここで、搬送ベルト１０１は、機能上、前述の搬送方向に連続的に動いているので、搬送ベルト１０１上の支持点５０２は搬送方向に移動する。これにより、ブリッジの支持が不安定になり、ブリッジが崩れる。すなわち、殆ど２点支持ブリッジが毛試製されることなく崩れる。この結果、２点支持ブリッジは安定して存在せず、２点支持ブリッジによる搬送ミスを防ぐことができる。
【００２９】
図４は共通搬送部１における３点支持ブリッジの構成を示す図である。
このように２枚の硬貨５００により搬送ベルト１０１の搬送方向に対して斜め方向に開くブリッジが形成される場合、このブリッジを構成する硬貨５００の一方はベルト押さえ部１２３Ａ（図中の点５０３）と、始端壁１２２および搬送ベルト１０１（図中の点５０４）とで支持され、他方の硬貨５００は左側壁１２１Ｂおよび搬送ベルト１０１（図中の点５０５）で支持される。ここで、搬送ベルト１０１は、機能上、前述の搬送方向に動いているので、搬送ベルト１０１上の支持点５０４，５０５は搬送方向に移動する。これにより、ブリッジの支持が不安定になり、ブリッジが崩れる。すなわち、殆ど３点支持ブリッジが形成されることなく崩れる。この結果、３点支持ブリッジは安定して存在せず、３点支持ブリッジによる搬送ミスを防ぐことができる。
【００３０】
このように確実に出金搬送部８へ搬送された硬貨は、出金識別部９、繰り出し部３、を介して再び硬貨識別部４に導かれる。硬貨識別部４で金種識別された硬貨は、入金搬送部５に搬送され、入金搬送部５は、識別結果に従って各硬貨を金種別スタッカ６にストックする。この際、金種別スタッカ６において満杯の硬貨が存在すれば、その硬貨は一括一時保留部１０を介して一括スタッカ１２に排出される。
【００３１】
（２）出金処理
利用者の操作により出金処理が必要になると、出金額に相当する硬貨が選択されて、金種別スタッカ６から横搬送ベルト７に投下される。横搬送ベルト７は投下された硬貨を共通搬送部１に搬送する。共通搬送部１は搬入された硬貨を出金搬送部８に搬送する。この場合も、共通搬送部１が前述の構造であることからブリッジは発生せず、搬送ミスが発生することなく全ての硬貨が出金搬送部８に搬送される。出金搬送部８に搬送された硬貨は、出金識別部９に搬入され、出金識別部９は硬貨を入出金部２に搬送するとともに、搬入された硬貨の金種を識別して合計額を検出する。ここで、この合計額が指定された出金額と一致すれば、シャッター１４が開かれて、利用者は硬貨を取り出すことができる。
【００３２】
このような出金処理においても、共通搬送部１でブリッジが発生して搬送ミスが起こることを防ぐことができる。
【００３３】
（３）補充処理
硬貨処理装置の保持者により補充が行われる場合、まず、運用カートリッジ１１の全ての金種の硬貨が同時に投入される。投入された硬貨は、縦搬送部１３により共通搬送部１に搬入される。共通搬送部１は搬入された硬貨を出金搬送部８に搬送する。この場合も、共通搬送部１が前述の構造であることからブリッジは発生せず、搬送ミスが発生することなく全ての硬貨が出金搬送部８に搬送される。このように出金搬送部８へ搬送された硬貨は、出金識別部９、繰り出し部３、を介して硬貨識別部４に導かれる。硬貨識別部４は各硬貨の金種を識別し、金種識別された硬貨は入金搬送部５に搬送され、入金搬送部５は、識別結果に従って各硬貨を金種別スタッカ６にストックする。この際、金種別スタッカ６において満杯の硬貨が存在すれば、その硬貨は一括一時保留部１０を介して一括スタッカ１２に排出される。
【００３４】
このような補充処理においても、共通搬送部１でブリッジが発生して搬送ミスが起こることを防ぐことができる。
【００３５】
（４）精査処理
硬貨処理装置の保持者により精査が行われる場合、金種別スタッカ６にストックされていた全ての硬貨が横搬送ベルト７に投下されて、共通搬送部１に搬入される。共通搬送部１は搬入された硬貨を出金搬送部８に搬送する。この場合も、共通搬送部１が前述の構造であることからブリッジは発生せず、搬送ミスが発生することなく全ての硬貨が出金搬送部８に搬送される。このように出金搬送部８へ搬送された硬貨は、出金識別部９、繰り出し部３、を介して硬貨識別部４に導かれる。硬貨識別部４は各硬貨の金種を識別して硬貨毎の合計を検出し、一括一時保留部１０を介して各硬貨を運用カートリッジ１１へ排出する。
【００３６】
このような精査処理においても、共通搬送部１でブリッジが発生して搬送ミスが起こることを防ぐことができる。
【００３７】
このように、本実施形態の共通搬送部を用いることで、どの硬貨処理を行う場合であっても、硬貨ブリッジを形成させず、搬送ミスを防止することができる。
【００３８】
なお、前述の実施形態では、使用する硬貨のうちで最大径の硬貨と最小径の硬貨とを用いて、切り欠き部の設定を行ったが、目的とする仕様、例えば使用する硬貨の種類等、に応じて切り欠き部の形状を任意に設定することは可能である。
【図面の簡単な説明】
【００３９】
【図１】本実施形態の硬貨処理装置の共通搬送部１の構造を示す図
【図２】共通搬送部１の切り欠き部の形状を示す説明図
【図３】共通搬送部１における２点支持ブリッジの構成を示す図
【図４】共通搬送部１における３点支持ブリッジの構成を示す図
【図５】硬貨処理装置の概略構成を示す構成図
【図６】従来の共通搬送部の構成を示す構成図
【図７】硬貨ブリッジの状態を示す概念図
【符号の説明】
【００４０】
１−共通搬送部
１０１−搬送ベルト
１０２−カバー部
１０３−排出ローラ
１２１Ａ，１２１Ｂ−側壁
１２２−始端壁
１２３Ａ，１２３Ｂ，１２４−ベルト押さえ部
２−入出金部
３−繰り出し部
４−硬貨識別部
５−入金搬送部
６−金種別スタッカ
７−横搬送ベルト
８−出金搬送部
９−出金識別部
１０−一括一時保留部
１１−運用カートリッジ
１２−一括スタッカ
１３−縦搬送部
１４−シャッター
１５−電源
５００，５００Ａ〜５００Ｅ−硬貨
【図１】
2006338104.tif 000003
【図２】
2006338104.tif 000004
【図３】
2006338104.tif 000005
【図４】
2006338104.tif 000006
【図５】
2006338104.tif 000007
【図６】
2006338104.tif 000008
【図７】
2006338104.tif 000009